(57)【要約】【課題】凝縮水を浄化可能であり、水浄化設備の消耗を抑制可能な凝縮水処理システムを提供する。【解決手段】凝縮水処理システムは、燃焼ガス発生装置から排出される燃焼ガスから分離された凝縮水を処理するためのものであって、燃焼ガスから熱エネルギを回収することで、燃焼ガスから凝縮水を分離する低温排熱回収装置と、凝縮水を浄化するための少なくとも一つの水浄化設備を含む水浄化ユニットと、低温排熱回収装置から排出され、水浄化ユニットに移送される前の凝縮水の水質を測定するための水質測定装置と、水質測定装置の測定結果に応じて、水浄化ユニットに対する凝縮水の移送先を制御する制御部と、を備える。【選択図】  図１
2018161601.tif 000002
【特許請求の範囲】
【請求項１】
燃焼ガス発生装置から排出される燃焼ガスから分離された凝縮水を処理するための凝縮水処理システムであって、
前記燃焼ガスから熱エネルギを回収することで、前記燃焼ガスから前記凝縮水を分離する低温排熱回収装置と、
前記凝縮水を浄化するための少なくとも一つの水浄化設備を含む水浄化ユニットと、
前記低温排熱回収装置から排出され、前記水浄化ユニットに移送される前の前記凝縮水の水質を測定するための水質測定装置と、
前記水質測定装置の測定結果に応じて、前記水浄化ユニットに対する前記凝縮水の移送先を制御する制御部と、を備える、
ことを特徴とする凝縮水処理システム。
【請求項２】
前記少なくとも一つの水浄化設備は、第１水浄化設備と、前記第１水浄化設備の下流側に配置され、且つ、前記第１水浄化設備で浄化された前記凝縮水が流入するように構成された第２水浄化設備と、を含み、
前記制御部は、前記水質測定装置の測定結果に応じて、前記凝縮水の移送先を、前記第１水浄化設備の上流、又は、前記第２水浄化設備の上流のいずれかに制御することを特徴とする請求項１に記載の凝縮水処理システム。
【請求項３】
前記制御部は、前記水質測定装置で測定された水質が所定の浄化度を上回る場合には、前記凝縮水の移送先を、前記水浄化ユニットの下流に制御することを特徴とする請求項１又は２に記載の凝縮水処理システム。
【請求項４】
前記少なくとも一つの水浄化設備は、浄化する前記凝縮水の浄化度を制御可能に構成され、
前記制御部は、前記水質測定装置の測定結果に応じて、前記凝縮水を浄化する前記少なくとも一つの水浄化設備の浄化度を制御することを特徴とする請求項２に記載の凝縮水処理システム。
【請求項５】
前記水浄化ユニットは、少なくとも一つの水浄化設備を含む第１水浄化ユニットと、少なくとも一つの水浄化設備を含み、前記第１水浄化ユニットの下流側に配置され、且つ、前記第１水浄化ユニットで浄化された前記凝縮水が流入可能に構成された第２水浄化ユニットと、を含み、
前記第１水浄化ユニットの少なくとも一つの水浄化設備は、有機物処理装置を含むことを特徴とする請求項１〜４のいずれか１項に記載の凝縮水処理システム。
【請求項６】
前記制御部は、前記水質測定装置の測定結果に応じて、前記第１水浄化ユニットの上流側の前記凝縮水の移送先を、前記第１水浄化ユニット、又は、前記第１水浄化ユニットの下流のいずれかに制御することを特徴とする請求項５に記載の凝縮水処理システム。
【請求項７】
前記第２水浄化ユニットの少なくとも一つの水浄化設備は、イオン交換装置と、脱炭酸装置と、を含むことを特徴とする請求項５又は６に記載の凝縮水処理システム。
【請求項８】
前記水浄化ユニットは、少なくとも一つの水浄化設備を含む第１水浄化ユニットと、少なくとも一つの水浄化設備を含み、前記第１水浄化ユニットの下流側に配置され、且つ、前記第１水浄化ユニットで浄化された前記凝縮水が流入可能に構成された第２水浄化ユニットと、を含み、
前記第２水浄化ユニットの少なくとも一つの水浄化設備は、有機物処理装置を含むことを特徴とする請求項１〜４のいずれか１項に記載の凝縮水処理システム。
【請求項９】
前記凝縮水処理システムは、前記第１水浄化ユニットの下流側、且つ、前記第２水浄化ユニットの上流側の位置に配置される下流側水質測定装置をさらに備え、
前記制御部は、前記下流側水質測定装置の測定結果に応じて、前記第１水浄化ユニットの下流側の前記凝縮水の移送先を、前記第２水浄化ユニット、又は、前記第２水浄化ユニットの下流に制御することを特徴とする請求項８に記載の凝縮水処理システム。
【請求項１０】
前記凝縮水処理システムは、前記低温排熱回収装置により前記凝縮水が分離される前の前記燃焼ガスから炭化水素及び窒素化合物の少なくともいずれか一方を除去する燃焼ガス浄化装置をさらに備えることを特徴とする請求項１〜９のいずれか１項に記載の凝縮水処理システム。
【請求項１１】
前記凝縮水処理システムは、前記低温排熱回収装置の上流側に配置された、前記燃焼ガスから熱エネルギを回収する高温排熱回収装置をさらに備え、
前記燃焼ガス浄化装置は、前記高温排熱回収装置の上流側の位置に設けられたことを特徴とする請求項１０に記載の凝縮水処理システム。
【請求項１２】
前記燃焼ガス浄化装置は、前記燃焼ガスから前記炭化水素を除去することが可能な酸化装置、及び、前記燃焼ガスから前記窒素化合物を除去することが可能な脱硝装置、の少なくともいずれか一方を含むことを特徴とする請求項１０又は１１に記載の凝縮水処理システム。
【請求項１３】
前記凝縮水処理システムは、前記燃焼ガス浄化装置で浄化される前の前記燃焼ガスに含まれる前記炭化水素の濃度を測定する炭化水素濃度測定装置と、前記燃焼ガス浄化装置で浄化される前の前記燃焼ガスに含まれる前記窒素化合物の濃度を測定する窒素化合物濃度測定装置と、をさらに備え、
前記燃焼ガス浄化装置は、前記酸化装置と前記脱硝装置を含み、
前記制御部は、前記炭化水素濃度測定装置の測定結果に応じて、前記燃焼ガスを前記酸化装置に流入させるか、前記酸化装置を迂回させるかを制御し、且つ、前記窒素化合物濃度測定装置の測定結果に応じて、前記燃焼ガスを前記脱硝装置に流入させるか、前記脱硝装置を迂回させるかを制御することを特徴とする請求項１２に記載の凝縮水処理システム。
【請求項１４】
前記凝縮水処理システムは、前記低温排熱回収装置の上流側に配置された、前記燃焼ガスから熱エネルギを回収する高温排熱回収装置をさらに備え、
前記高温排熱回収装置は、熱交換器である第１熱交換器を含み、
前記低温排熱回収装置は、熱交換器である第２熱交換器を含み、
前記第１熱交換器及び前記第２熱交換器の少なくともいずれか一方は、炭化水素及び窒素化合物の少なくともいずれか一方を除去する触媒が伝熱面に塗布されていることを特徴とする請求項１〜９のいずれか１項に記載の凝縮水処理システム。
【請求項１５】
前記燃焼ガス発生装置は、ボイラを含み、
前記凝縮水は、前記水浄化ユニットの下流側において前記ボイラに供給されることを特徴とする請求項１〜１４のいずれか１項に記載の凝縮水処理システム。
【請求項１６】
前記凝縮水処理システムは、前記凝縮水を浄化して飲料水を生成する飲料水生成ユニットをさらに備えることを特徴とする請求項１〜１４のいずれか１項に記載の凝縮水処理システム。
【発明の詳細な説明】
【技術分野】
【０００１】
本開示は、タービン、ボイラ、エンジンなどの燃焼ガス発生装置から排出される燃焼ガスから分離された凝縮水を処理するための凝縮水処理システムに関する。
【背景技術】
【０００２】
従来、ボイラと蒸気タービンを有する火力発電プラントは、ボイラの燃焼室（燃焼器）中において燃料と空気を燃焼させることにより発生した燃焼ガスエネルギを、ボイラの伝熱部において水に伝達して高温高圧の蒸気を発生させ、この蒸気の有するエネルギを蒸気タービンが有用な機械的動力に変換するものである。このような火力発電プラントは、ボイラの燃焼室における燃焼により燃焼ガスが発生する。この燃焼ガスは、燃焼室における燃焼による熱エネルギを有するものであるので、熱交換器において熱エネルギが回収される。熱交換器において回収された熱エネルギはボイラ給水の予熱などに利用される。この熱交換器における熱回収の際に、熱交換器の出口の温度が水の凝縮点以下になると、凝縮水が生成され、熱交換器により燃焼ガスから凝縮水が分離される。
【０００３】
燃焼ガスから分離された凝縮水は、その水質が排水基準を満たす場合には、そのまま放流され、その水質が排水基準を満たさない場合には、中和処理などを行った後に放流されるという処理がなされることが多いが、凝縮水の放流処理にはコストが掛かるため、脱気器においてＣＯ２を回収した後に、例えばボイラへの給水などに利用されることがある（例えば、特許文献１〜３）。
【０００４】
より具体的には、特許文献１には、火力発電プラントにおいて、ガスタービンから排出される排気ガスを回収する排熱ボイラと、排熱ボイラの排気ガス中の水分を凝縮するコンデンサと、コンデンサで凝縮された凝縮水とそれ以外のガス要素を分離し、排熱ボイラに凝縮水を供給するように接続する気水分離装置と、を備えることが開示されている。
【０００５】
また、特許文献２には、炭化水素系燃料の水蒸気改質を行う水蒸気改質器と、水蒸気改質用の加熱源である燃焼器と、水蒸気改質用の水蒸気を発生させるボイラと、水蒸気改質器からのオフガスと、燃焼器及びボイラからの排ガスから水分を分離させる水分離器と、を備え、水分離器により回収されたドレイン水は、酸性であるので中和器を経た後にボイラの水蒸気発生用の水として供給されることが開示されている。
【０００６】
また、特許文献３には、燃焼器の燃焼により発生した燃焼ガスにより駆動するタービンと、タービンで発生した排気ガスを蒸気製造に熱利用する排熱回収ボイラと、排熱回収ボイラを経た後の排気ガスを凝縮水と二酸化炭素に分離する凝縮器と、を備え、凝縮器で凝縮された水の一部は排熱回収ボイラへ供給されることが開示されている。
【先行技術文献】
【特許文献】
【０００７】
【特許文献１】特許第２７４４０９０号公報
【特許文献２】特許第５１４８５４１号公報
【特許文献３】特許第３１１０１１４号公報
【発明の概要】
【発明が解決しようとする課題】
【０００８】
しかしながら、一般に火力発電プラントにおけるボイラ給水には、工業用水に対して水浄化設備により不純物を除去する水処理が行われることにより純水まで純度が高められた水が、脱気処理された後に用いられる。理由としては、火力発電プラントにおけるボイラは、高温高圧下で運転されるため、ボイラ給水に用いられる水に不純物が少しでも含まれていると、ボイラの伝熱面における金属酸化物の付着、ボイラの付属機器の腐食及び、過熱器やタービンなどへのスケールの固着などの熱伝達を阻害してボイラ効率を低下させる様々な問題が生じるからである。このため、特許文献１〜３のような、燃焼ガスから分離された凝縮水を、ＣＯ２を回収後にボイラ給水に利用することは、上述した問題を招くため好ましくない。
【０００９】
また、凝縮水に対して、工業用水のように水浄化設備による水処理を行うことにより、排水基準を満たす水質に浄化された凝縮水を排水したり、水質が改善された凝縮水を例えばボイラ給水として利用したりすることが考えられるが、水浄化設備による浄化が過剰である場合には、水浄化設備を無駄に消耗させることになるし、水浄化設備による浄化が不十分である場合には、上述した問題を招くことになる。
【００１０】
上述の事情に鑑みて、本発明の少なくとも一実施形態は、凝縮水を浄化可能であり、水浄化設備の消耗を抑制可能な凝縮水処理システムを提供することを目的とする。
【課題を解決するための手段】
【００１１】
（１）本発明の少なくとも一実施形態に係る凝縮水処理システムは、
燃焼ガス発生装置から排出される燃焼ガスから分離された凝縮水を処理するための凝縮水処理システムであって、
前記燃焼ガスから熱エネルギを回収することで、前記燃焼ガスから前記凝縮水を分離する低温排熱回収装置と、
前記凝縮水を浄化するための少なくとも一つの水浄化設備を含む水浄化ユニットと、
前記低温排熱回収装置から排出され、前記水浄化ユニットに移送される前の前記凝縮水の水質を測定するための水質測定装置と、
前記水質測定装置の測定結果に応じて、前記水浄化ユニットに対する前記凝縮水の移送先を制御する制御部と、を備える。
【００１２】
上記（１）の構成によれば、燃焼ガス発生装置から排出された燃焼ガスは、低温排熱回収装置において熱エネルギが回収されて凝縮水が分離される。この凝縮水は、低温排熱回収装置から排出され、凝縮水を浄化するための水浄化ユニットに移送される前に、水質測定装置により水質が測定される。水質測定装置の測定結果に応じて、制御部により水浄化ユニットに対する凝縮水の移送先が制御される。このため、凝縮水は、その水質に応じて移送先において必要な浄化が行われるので、水浄化ユニット及びこれに含まれる水浄化設備は、過不足なく凝縮水を浄化することができる。すなわち、凝縮水の浄化が不十分であったり、凝縮水を水浄化設備により必要以上に浄化して水浄化設備を消耗させたりするのを抑制することができる。したがって、上記の構成によれば、凝縮水を浄化できるとともに、水浄化設備の消耗を抑えることができる。
【００１３】
（２）幾つかの実施形態では、上記（１）の構成において、
前記少なくとも一つの水浄化設備は、第１水浄化設備と、前記第１水浄化設備の下流側に配置され、且つ、前記第１水浄化設備で浄化された前記凝縮水が流入するように構成された第２水浄化設備と、を含み、
前記制御部は、前記水質測定装置の測定結果に応じて、前記凝縮水の移送先を、前記第１水浄化設備の上流、又は、前記第２水浄化設備の上流のいずれかに制御する。
【００１４】
上記（２）の構成によれば、制御部は、水質測定装置の測定結果に応じて、凝縮水の移送先を、第１水浄化設備の上流、又は、第１水浄化設備の下流側である第２水浄化設備の上流のいずれかに制御する。このため、凝縮水の水質が良好な場合には、凝縮水を第１水浄化設備において浄化させずに第１水浄化設備を迂回して、第２水浄化設備に直接移送することができるので、第１水浄化設備の消耗を抑えることができる。また、水質が良好な凝縮水は、第２水浄化設備における浄化だけで必要な浄化が行われる。また、凝縮水の水質が不良な場合には、凝縮水を第１水浄化設備及び第２水浄化設備の両方において浄化させるので、水質が不良な凝縮水を浄化することができる。したがって、上記の構成によれば、凝縮水を浄化できるとともに、水浄化設備の消耗を抑えることができる。
【００１５】
（３）幾つかの実施形態では、上記（１）又は（２）の構成において、
前記制御部は、前記水質測定装置で測定された水質が所定の浄化度を上回る場合には、前記凝縮水の移送先を、前記水浄化ユニットの下流に制御する。
上記（３）の構成によれば、凝縮水は、水質測定装置で測定された水質が所定の浄化度を上回る場合には、水浄化ユニットにおいて浄化されずに水浄化ユニットを迂回して水浄化ユニットの下流に移送される。このため、水浄化ユニットに含まれる少なくとも一つの水浄化設備の消耗を抑えることができる。
【００１６】
（４）幾つかの実施形態では、上記（２）の構成において、
前記少なくとも一つの水浄化設備は、浄化する前記凝縮水の浄化度を制御可能に構成され、
前記制御部は、前記水質測定装置の測定結果に応じて、前記凝縮水を浄化する前記少なくとも一つの水浄化設備の浄化度を制御する。
【００１７】
上記（４）の構成によれば、少なくとも一つの水浄化設備は、浄化する凝縮水の浄化度を制御可能に構成され、制御部は、水質測定結果の測定結果に応じて、凝縮水を浄化する上述した浄化度を制御可能に構成された少なくとも一つの水浄化設備の浄化度を制御する。このため、凝縮水の水質が良好な場合には、浄化度を制御可能な水浄化設備における凝縮水の浄化度を低くすることができるので、水浄化設備の消耗を抑えることができる。また、凝縮水の水質が不良な場合には、水浄化設備における凝縮水の浄化度を高くすることができるので、水質が不良な凝縮水を浄化することができる。したがって、上記の構成によれば、凝縮水を浄化できるとともに、水浄化設備の消耗を抑えることができる。
【００１８】
（５）幾つかの実施形態では、上記（１）〜（４）の構成において、
前記水浄化ユニットは、少なくとも一つの水浄化設備を含む第１水浄化ユニットと、少なくとも一つの水浄化設備を含み、前記第１水浄化ユニットの下流側に配置され、且つ、前記第１水浄化ユニットで浄化された前記凝縮水が流入可能に構成された第２水浄化ユニットと、を含み、
前記第１水浄化ユニットの少なくとも一つの水浄化設備は、有機物処理装置を含む。
【００１９】
上記（５）の構成によれば、水浄化ユニットは、第１水浄化ユニットと、第１水浄化ユニットの下流側に配置され、第１水浄化ユニットで浄化された凝縮水が流入可能な第２水浄化ユニットを含み、第１水浄化ユニットの少なくとも一つの水浄化設備は、有機物処理装置を含んでいる。ここで、有機物処理装置は、凝縮水に含まれる有機物を除去することができる。このため、有機物処理装置を含む第１水浄化ユニットにより凝縮水を浄化することができる。また、有機物処理装置は、第２水浄化ユニットより上流側の第１水浄化ユニットの水浄化設備であるので、これらの水浄化設備で浄化された凝縮水は、一定以上の水質を有しているため、第２水浄化ユニットの水浄化設備の消耗を抑えることができる。
【００２０】
（６）幾つかの実施形態では、上記（５）の構成において、
前記制御部は、前記水質測定装置の測定結果に応じて、前記第１水浄化ユニットの上流側の前記凝縮水の移送先を、前記第１水浄化ユニット、又は、前記第１水浄化ユニットの下流のいずれかに制御する。
【００２１】
上記（６）の構成によれば、水質測定装置により測定された凝縮水の水質に応じて、凝縮水は、第１水浄化ユニット、又は、第１水浄化ユニットを迂回して第１水浄化ユニットの下流のいずれかに移送される。このため、凝縮水の水質が良好な場合には、凝縮水を第１水浄化ユニットの水浄化設備において浄化させずに、第１水浄化ユニットの水浄化設備を迂回して、第１水浄化ユニットの下流に移送することができるので、第１水浄化ユニットの水浄化設備の消耗を抑えることができる。また、凝縮水の水質が不良な場合には、凝縮水を第１水浄化ユニットの水浄化設備において浄化させるので、水質が不良な凝縮水を浄化することができる。したがって、上記の構成によれば、凝縮水を浄化できるとともに、水浄化設備の消耗を抑えることができる。
【００２２】
（７）幾つかの実施形態では、上記（５）又は（６）の構成において、
前記第２水浄化ユニットの少なくとも一つの水浄化設備は、イオン交換装置と、脱炭酸装置と、を含む。
上記（７）の構成によれば、第２水浄化ユニットの少なくとも一つの水浄化設備は、イオン交換装置と脱炭酸装置を含んでいるため、これらの装置により凝縮水を浄化できる。
【００２３】
（８）幾つかの実施形態では、上記（１）〜（４）の構成において、
前記水浄化ユニットは、少なくとも一つの水浄化設備を含む第１水浄化ユニットと、少なくとも一つの水浄化設備を含み、前記第１水浄化ユニットの下流側に配置され、且つ、前記第１水浄化ユニットで浄化された前記凝縮水が流入可能に構成された第２水浄化ユニットと、を含み、
前記第２水浄化ユニットの少なくとも一つの水浄化設備は、有機物処理装置を含む。
【００２４】
上記（８）の構成によれば、水浄化ユニットは、第１水浄化ユニットと、第１水浄化ユニットの下流側に配置され、第１水浄化ユニットで浄化された凝縮水が流入する第２水浄化ユニットを含み、第２水浄化ユニットの少なくとも一つの水浄化設備は、有機物処理装置を含んでいる。ここで、有機物処理装置は、凝縮水に含まれる有機物を除去することができる。このため、有機物処理装置を含む第２水浄化ユニットにより凝縮水を浄化することができる。また、有機物処理装置は、第１水浄化ユニットより下流側の第２水浄化ユニットの水浄化設備であるので、第２水浄化ユニットで浄化される凝縮水は一定以上の水質を有しているため、有機物処理装置の消耗を抑えることができる。
【００２５】
（９）幾つかの実施形態では、上記（８）の構成において、
前記凝縮水処理システムは、前記第１水浄化ユニットの下流側、且つ、前記第２水浄化ユニットの上流側の位置に配置される下流側水質測定装置をさらに備え、
前記制御部は、前記下流側水質測定装置の測定結果に応じて、前記第１水浄化ユニットの下流側の前記凝縮水の移送先を、前記第２水浄化ユニット、又は、前記第２水浄化ユニットの下流に制御する。
【００２６】
上記（９）の構成によれば、第１水浄化ユニットの下流側且つ第２水浄化ユニットの上流側に配置された下流側水質測定装置により凝縮水の水質が測定される。そして、下流側水質測定装置により測定された凝縮水の水質に応じて、凝縮水は、第２水浄化ユニット、又は、第２水浄化ユニットを迂回して第２水浄化ユニットの下流に移送される。このため、凝縮水の水質が良好な場合には、凝縮水を第２水浄化ユニットの水浄化設備において浄化させずに第２水浄化ユニットを迂回して、第２水浄化ユニットの下流に直接移送することができるので、第２水浄化ユニットの水浄化設備の消耗を抑えることができる。また、凝縮水の水質が不良な場合には、凝縮水を第２水浄化ユニットの水浄化設備において浄化させるので、水質が不良な凝縮水を浄化することができる。したがって、上記の構成によれば、凝縮水を浄化できるとともに、水浄化設備の消耗を抑えることができる。
【００２７】
（１０）幾つかの実施形態では、上記（１）〜（９）の構成において、
前記凝縮水処理システムは、前記低温排熱回収装置により前記凝縮水が分離される前の前記燃焼ガスから炭化水素及び窒素化合物の少なくともいずれか一方を除去する燃焼ガス浄化装置をさらに備える。
上記（１０）の構成によれば、凝縮水処理システムは、低温排熱回収装置により凝縮水が分離される前の燃焼ガスから、炭化水素及び窒素化合物の少なくともいずれか一方を除去する燃焼ガス浄化装置を備えているので、燃焼ガスは炭化水素及び窒素化合物の少なくともいずれか一方が除去される。凝縮水の水質を低下させる炭化水素及び窒素化合物の少なくともいずれか一方を除去された燃焼ガスから分離された凝縮水は、水質が改善している。このため、凝縮水は、水浄化ユニットの上流側において水質が改善しているので、水浄化ユニットの水浄化設備の消耗を抑えることができる。したがって、凝縮水を浄化できるとともに、水浄化設備の消耗を抑えることができる。
【００２８】
（１１）幾つかの実施形態では、上記（１０）の構成において、
前記凝縮水処理システムは、前記低温排熱回収装置の上流側に配置された、前記燃焼ガスから熱エネルギを回収する高温排熱回収装置をさらに備え、
前記燃焼ガス浄化装置は、前記高温排熱回収装置の上流側の位置に設けられた。
上記（１１）の構成によれば、凝縮水処理システムは、低温排熱回収装置の上流側に配置され、燃焼ガスから熱エネルギを回収する高温排熱回収装置を備えており、この高温排熱回収装置の上流側に燃焼ガス浄化装置が設けられているので、高温排熱回収装置により熱エネルギが回収される前の燃焼ガスは高温であるため、燃焼ガス浄化装置は効率良く炭化水素及び窒素化合物の少なくともいずれか一方を除去できる。
【００２９】
（１２）幾つかの実施形態では、上記（１０）又は（１１）の構成において、
前記燃焼ガス浄化装置は、前記燃焼ガスから前記炭化水素を除去することが可能な酸化装置、及び、前記燃焼ガスから前記窒素化合物を除去することが可能な脱硝装置、の少なくともいずれか一方を含む。
上記（１２）の構成によれば、酸化装置及び脱硝装置は、どちらも低温排熱回収装置により凝縮水が分離される前の燃焼ガスから、凝縮水の水質を低下させる炭化水素及び窒素化合物の少なくともいずれか一方を除去することができる。したがって、凝縮水を浄化できるとともに、水浄化設備の消耗を抑えることができる。
【００３０】
（１３）幾つかの実施形態では、上記（１２）の構成において、
前記凝縮水処理システムは、前記燃焼ガス浄化装置で浄化される前の前記燃焼ガスに含まれる前記炭化水素の濃度を測定する炭化水素濃度測定装置と、前記燃焼ガス浄化装置で浄化される前の前記燃焼ガスに含まれる前記窒素化合物の濃度を測定する窒素化合物濃度測定装置と、をさらに備え、
前記燃焼ガス浄化装置は、前記酸化装置と前記脱硝装置を含み、
前記制御部は、前記炭化水素濃度測定装置の測定結果に応じて、前記燃焼ガスを前記酸化装置に流入させるか、前記酸化装置を迂回させるかを制御し、且つ、前記窒素化合物濃度測定装置の測定結果に応じて、前記燃焼ガスを前記脱硝装置に流入させるか、前記脱硝装置を迂回させるかを制御する。
上記（１３）の構成によれば、凝縮水処理システムは、燃焼ガス浄化装置で浄化される前の燃焼ガスに含まれる炭化水素の濃度を測定する炭化水素濃度測定装置と、燃焼ガス浄化装置で浄化される前の燃焼ガスに含まれる窒素化合物の濃度を測定する窒素化合物濃度測定装置を備えており、燃焼ガス浄化装置は、酸化装置と脱硝装置を含んでいる。さらに、制御部は、炭化水素濃度測定装置の測定結果に応じて、燃焼ガスを酸化装置に流入させるか迂回させるかを制御する。また、制御部は、窒素化合物濃度測定装置の測定結果に応じて、燃焼ガスを脱硝装置に流入させるか迂回させるかを制御する。このため、燃焼ガス中の炭化水素や窒素化合物の濃度が低い場合には、燃焼ガスが酸化装置や脱硝装置を迂回することができるので、燃焼ガス浄化装置の消耗を抑えることができる。また、燃焼ガス中の炭化水素や窒素化合物の濃度が高い場合には、酸化装置や脱硝装置に燃焼ガスを流入させるので、燃焼ガスを浄化することができる。したがって、凝縮水を浄化できるとともに、水浄化設備の消耗を抑えることができる。
【００３１】
（１４）幾つかの実施形態では、上記（１）〜（９）の構成において、
前記凝縮水処理システムは、前記低温排熱回収装置の上流側に配置された、前記燃焼ガスから熱エネルギを回収する高温排熱回収装置をさらに備え、
前記高温排熱回収装置は、熱交換器である第１熱交換器を含み、
前記低温排熱回収装置は、熱交換器である第２熱交換器を含み、
前記第１熱交換器及び前記第２熱交換器の少なくともいずれか一方は、炭化水素及び窒素化合物の少なくともいずれか一方を除去する触媒が伝熱面に塗布されている。
上記（１４）の構成によれば、高温排熱回収装置は第１熱交換器を、低温排熱回収装置は第２熱交換器を含んでおり、第１熱交換器及び第２熱交換器の少なくともいずれか一方は、炭化水素及び窒素化合物の少なくともいずれか一方を除去する触媒が伝熱面に塗布されているので、低温排熱回収装置により凝縮水が分離される前の燃焼ガスから、炭化水素及び窒素化合物の少なくともいずれか一方を除去することができる。したがって、凝縮水を浄化できるとともに、水浄化設備の消耗を抑えることができる。
【００３２】
（１５）幾つかの実施形態では、上記（１）〜（１４）の構成において、
前記燃焼ガス発生装置は、ボイラを含み、
前記凝縮水は、前記水浄化ユニットの下流側において前記ボイラに供給される。
上記（１５）の構成によれば、燃焼ガス発生装置は、ボイラを含み、凝縮水は、水浄化ユニットの下流側においてボイラに供給されるので、凝縮水を排水することにより生じるコストを削減することができる。
【００３３】
（１６）幾つかの実施形態では、上記（１）〜（１４）の構成において、
前記凝縮水処理システムは、前記凝縮水を浄化して飲料水を生成する飲料水生成ユニットをさらに備える。
上記（１６）の構成によれば、凝縮水処理システムは、凝縮水を浄化して飲料水を生成する飲料水生成ユニットを備えるので、凝縮水は飲料水生成ユニットにより浄化された後は、飲料水として利用できる。
【発明の効果】
【００３４】
本発明の少なくとも一実施形態によれば、凝縮水を浄化可能であり、水浄化設備の消耗を抑制可能な凝縮水処理システムが提供される。
【図面の簡単な説明】
【００３５】
【図１】本発明の一実施形態にかかる凝縮水処理システムを説明するための説明図である。
【図２】図１に示す凝縮水処理システムにおける、水質測定装置の測定結果に応じた制御部による制御の一例を示すフローチャートである。
【図３】本発明の他の一実施形態にかかる凝縮水処理システムを説明するための説明図であって、水浄化設備にオゾン発生装置と紫外線照射装置を含めた図である。
【図４】図３に示す凝縮水処理システムにおける、水質測定装置の測定結果に応じた制御部による制御の一例を示すフローチャートである。
【図５】本発明の他の一実施形態にかかる凝縮水処理システムを説明するための説明図であって、水浄化設備に酸化装置と活性炭吸着装置を含めた図である。
【図６】図５に示す凝縮水処理システムにおける、下流側水質測定装置の測定結果に応じた制御部による制御の一例を示すフローチャートである。
【図７】本発明の他の一実施形態にかかる凝縮水処理システムを説明するための説明図であって、燃焼ガス発生装置から低温排熱回収装置までを拡大して示す図である。
【図８】本発明の他の一実施形態にかかる、炭化水素濃度測定装置と窒素化合物濃度測定装置を備えた凝縮水処理システムを説明するための説明図であって、燃焼ガス発生装置から低温排熱回収装置までを拡大して示す図である。
【図９】図８に示す凝縮水処理システムにおける、炭化水素濃度測定装置及び窒素化合物濃度測定装置の測定結果に応じた制御部による制御の一例を示すフローチャートである。
【図１０】本発明の他の一実施形態にかかる凝縮水処理システムを説明するための説明図であって、高温排熱回収装置及び低温排熱回収装置を拡大して示す図である。
【図１１】本発明の一実施形態にかかる、飲料水生成ユニットを備えた凝縮水処理システムを説明するための説明図である。
【発明を実施するための形態】
【００３６】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。
例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一の構成要素を「備える」、「具える」、「具備する」、「含む」、又は、「有する」という表現は、他の構成要素の存在を除外する排他的な表現ではない。
【００３７】
図１は、本発明の一実施形態にかかる凝縮水処理システムを説明するための説明図である。図２は、図１に示す凝縮水処理システムにおける、水質測定装置の測定結果に応じた制御部による制御の一例を示すフローチャートである。図３は、本発明の他の一実施形態にかかる凝縮水処理システムを説明するための説明図であって、水浄化設備にオゾン発生装置と紫外線照射装置を含めた図である。図４は、図３に示す凝縮水処理システムにおける、水質測定装置の測定結果に応じた制御部による制御の一例を示すフローチャートである。図５は、本発明の他の一実施形態にかかる凝縮水処理システムを説明するための説明図であって、水浄化設備に酸化装置と活性炭吸着装置を含めた図である。図６は、図５に示す凝縮水処理システムにおける、下流側水質測定装置の測定結果に応じた制御部による制御の一例を示すフローチャートである。図７は、本発明の他の一実施形態にかかる凝縮水処理システムを説明するための説明図であって、燃焼ガス発生装置から低温排熱回収装置までを拡大して示す図である。図８は、本発明の他の一実施形態にかかる、炭化水素濃度測定装置と窒素化合物濃度測定装置を備えた凝縮水処理システムを説明するための説明図であって、燃焼ガス発生装置から低温排熱回収装置までを拡大して示す図である。図９は、図８に示す凝縮水処理システムにおける、炭化水素濃度測定装置及び窒素化合物濃度測定装置の測定結果に応じた制御部による制御の一例を示すフローチャートである。図１０は、本発明の他の一実施形態にかかる凝縮水処理システムを説明するための説明図であって、高温排熱回収装置及び低温排熱回収装置を拡大して示す図である。図１１は、本発明の一実施形態にかかる、飲料水生成ユニットを備えた凝縮水処理システムを説明するための説明図である。
以下、凝縮水処理システム１が備える上記の各々の構成について、それぞれ説明する。
【００３８】
図１〜図１１に示される実施形態では、凝縮水処理システム１は、図１、３、５、７、８に示されるような、燃焼ガス発生装置２と、蒸気タービン３と、復水器４と、低圧給水加熱器５と、脱気器６と、ボイラ給水加熱器７と、を備えている。管路８は、上流から順に燃焼ガス発生装置２、蒸気タービン３、復水器４、低圧給水加熱器５、脱気器６及びボイラ給水加熱器７を直列に連結すると共に、ボイラ給水加熱器７の下流側に燃焼ガス発生装置２の上流側を連結することにより環状に形成されている。
【００３９】
燃焼ガス発生装置２（ボイラ２ａ）は、その燃焼室中において外部から供給される燃料Ｆと空気Ａを混合させた後に燃焼させることにより発生した燃焼ガスエネルギを、その伝熱部において給水された水に伝達して高温高圧の蒸気Ｓを発生させる。また、燃焼ガス発生装置２は、その燃焼室における燃焼により高温高圧の蒸気Ｓを発生させるだけでなく、燃焼ガスＣｇを発生させる。燃焼ガス発生装置２における燃焼により発生した蒸気Ｓは管路８を下流である蒸気タービン３に向かって流れ、燃焼ガスＣｇは後述する管路９を下流である高温排熱回収装置１７に向かって流れる。
【００４０】
蒸気タービン３は、燃焼ガス発生装置２から送られた高温かつ高圧の蒸気Ｓの有する熱エネルギをタービン（羽根車）と軸を介して回転運動（機械的動力）に変換させる。復水器４は、その内部において蒸気タービン３から送られた水や水滴を含んだ湿り蒸気である蒸気Ｓを冷却して凝縮することにより復水を発生させる。低圧給水加熱器５は、管路８を介して復水器４から送られてきた復水や、管路１１を介して水浄化ユニット２０から送られた、工業用水が水浄化設備２１により浄化された水である浄化水の温度を上昇させることにより、下流に位置する脱気器６の熱効率を高める。脱気器６は、下流に位置する燃焼ガス発生装置２の腐食を防止するために、復水器４から送られてきた、復水と浄化水とを含むボイラ給水の水中に存在する酸素を取り除く。ボイラ給水加熱器７は、脱気器６において脱気されたボイラ給水の温度を上昇させることにより、下流に位置するとともにボイラ給水が給水される燃焼ガス発生装置２の熱効率を高める。
【００４１】
また、図１〜図１１に示される実施形態では、凝縮水処理システム１は、図１〜３、５、７、８、１０、１１に示されるような、高温排熱回収装置１７と、低温排熱回収装置１８と、中和装置１９と、バルブＶ１（開閉装置）と、をさらに備えている。管路９は、燃焼ガスＣｇを送る管路であり、上流から順に燃焼ガス発生装置２、高温排熱回収装置１７及び低温排熱回収装置１８を直列に連結すると共に、低温排熱回収装置１８を介して管路１０に連結されている。管路１０は、低温排熱回収装置１８により燃焼ガスＣｇから分離された凝縮水Ｗｃを送る管路であり、上流から順に低温排熱回収装置１８、中和装置１９、バルブＶ１を直列に連結すると共に、バルブＶ１を介して凝縮水Ｗｃを排水する管路である管路１２に連結されている。
【００４２】
高温排熱回収装置１７は、熱交換器である第１熱交換器１７ａを含み、低温排熱回収装置１８は、熱交換器である第２熱交換器１８ａを含むものである。高温排熱回収装置１７及び低温排熱回収装置１８は、いずれも燃焼ガスＣｇから熱エネルギを回収して、その回収した熱エネルギを他の物体、例えばボイラ給水などに与えるものである。低温排熱回収装置１８は、高温排熱回収装置１７の下流側に配置され、高温排熱回収装置１７において熱エネルギが回収された燃焼ガスＣｇからさらに熱エネルギを回収する。この低温排熱回収装置１８における熱回収の際に、その出口側の温度が水の凝縮点以下になると凝縮水Ｗｃが発生する。この凝縮水Ｗｃは、低温排熱回収装置１８において燃焼ガスＣｇから分離される。中和装置１９は、凝縮水Ｗｃを中和するものであり、燃焼ガスＣｇから分離された凝縮水Ｗｃは酸性であるので、例えば、炭酸カルシウム系天然石などの中和剤が充填されている。
【００４３】
また、図１〜図１１に示される実施形態では、凝縮水処理システム１は、図１、３、５に示されるような、凝縮水Ｗｃを浄化するための少なくとも一つの水浄化設備２１を含む水浄化ユニット２０をさらに備えている。そして、水浄化設備２１は、図１、３、５、１１に示されるような、貯水タンク２１ａと、カチオン塔２１ｂと、脱炭酸塔２１ｃと、アニオン塔２１ｄと、ポリッシャ塔２１ｅと、有機物処理装置２４と、を含むものである。ここで、貯水タンク２１ａは工業用水Ｗｉを蓄えるものである。カチオン塔２１ｂは、水中に溶けている陽イオンを交換除去するためのものであり、陽イオン交換樹脂が充填されている。脱炭酸塔２１ｃは、水に空気を吹き込み、水中に溶存している二酸化炭素やカチオン塔２１ｂにより生じた炭酸ガスを除去するためのものである。アニオン塔２１ｄは、陰イオンを交換除去するためのものであり、陰イオン交換樹脂が充填されている。ポリッシャ塔２１ｅは、上流において交換除去されていないイオンを交換除去するためのものであり、陽イオン交換樹脂と陰イオン交換樹脂のうち、少なくとも陰イオン交換樹脂が充填されている。
【００４４】
有機物処理装置２４は、図３及び図５に示されるような、オゾン発生装置２１ｆと、紫外線照射装置２１ｇと、酸化装置２１ｈと、活性炭吸着装置２１ｉと、不図示の活性炭装置と、を含むものである。ここで、燃焼ガス発生装置２から排出される燃焼ガスＣｇには、燃焼ガス発生装置２における燃焼によって生じた部分酸化炭化水素（アセトアルデヒド、ホルムアルデヒド）や、燃焼ガス発生装置２において未燃の燃料Ｆや潤滑油成分などの未燃油分が含まれることがある。そして、部分酸化炭化水素や未燃油分が含まれた燃焼ガスＣｇから低温排熱回収装置１８により分離された凝縮水ＷｃにはＴＯＣ（部分酸化炭化水素や未燃油分などの有機物）が含まれる。ＴＯＣは、燃焼ガス発生装置２の伝熱面における金属酸化物の付着などの熱伝達を阻害して燃焼ガス発生装置２の効率を低下させる様々な問題の原因となるので、除去することが望ましい。有機物処理装置２４は、上述したＴＯＣを含む、凝縮水Ｗｃに含まれる有機物を処理するためのものである。
【００４５】
オゾン発生装置２１ｆは、図３に示されるような、塩素を超える強力な酸化力を持った物質であるオゾンを発生させる装置であり、装置により凝縮水Ｗｃ中に送り込まれたオゾンにより有機物を分解することができるので、凝縮水Ｗｃ中から有機物を除去することができる。紫外線照射装置２１ｇは、図３に示されるような、凝縮水Ｗｃが通る管路の外側に管路に沿うように設けられた紫外線ランプから、凝縮水Ｗｃに対して紫外線（ＵＶ）を照射する装置であり、紫外線の照射により生成された活性酸素は強い酸化力を有するので、この酸化力により有機物を分解することができるため、凝縮水Ｗｃ中から有機物を除去することができる。また、オゾン発生装置２１ｆ及び紫外線照射装置２１ｇの両方を備えることにより、オゾンと紫外線を併用することができるので、オゾン発生装置２１ｆ及び紫外線照射装置２１ｇのいずれか一方を備える場合よりも、活性酸素の生成が促進されるため強い酸化力を有する。このため、オゾン発生装置２１ｆ及び紫外線照射装置２１ｇの両方を備えることにより、凝縮水Ｗｃ中から有機物を効率的に除去することができる。
【００４６】
酸化装置２１ｈは、図５に示されるような、酸化塔を含み、凝縮水Ｗｃを酸化処理できるので、凝縮水Ｗｃ中から有機物を除去することができる。活性炭吸着装置２１ｉは、図５に示されるような、その内部に層状に活性炭が充填された活性炭吸着塔を含み、凝縮水Ｗｃに対して活性炭の吸着能力を発揮して凝縮水Ｗｃ中の有機物を吸着除去することができる。不図示の活性炭装置は、生物活性炭を含むものであり、粒状の活性炭に繁殖させた微生物の酸化分解作用と活性炭の吸着作用により凝縮水Ｗｃ中から有機物を除去することができる。
【００４７】
管路１１は、水浄化ユニット２０と、水浄化ユニット２０の下流に位置する復水器４を直列に連結するとともに、水浄化ユニット２０が複数の水浄化設備２１を含む場合には、複数の水浄化設備２１を互いに連結する。例えば、図１においては、水浄化ユニット２０は、水浄化設備２１として、貯水タンク２１ａ、カチオン塔２１ｂ、脱炭酸塔２１ｃ、アニオン塔２１ｄ及びポリッシャ塔２１ｅを有しており、管路１１は、上流から順に、貯水タンク２１ａ、カチオン塔２１ｂ、脱炭酸塔２１ｃ、アニオン塔２１ｄ及びポリッシャ塔２１ｅを直列に連結している。
【００４８】
貯水タンク２１ａは、図１、３、５、１１に示されるような、バルブＶ７を開くことにより、工業用水Ｗｉが供給される。貯水タンク２１ａに蓄えられた工業用水Ｗｉは、ポンプＰにより管路１１内を送られて、上流から順に、カチオン塔２１ｂ、脱炭酸塔２１ｃ、アニオン塔２１ｄ及びポリッシャ塔２１ｅのそれぞれに浄化された後に復水器４に上述した浄化水として供給される。
以下の幾つかの実施形態においては、上述した凝縮水処理システム１の各々の構成を適宜備えるものである。
【００４９】
幾つかの実施形態では、凝縮水処理システム１は、図１、３、５、７、８、１０、１１に示されるような、燃焼ガス発生装置２から排出される燃焼ガスＣｇから分離された凝縮水Ｗｃを処理するためのものであって、上述した低温排熱回収装置１８と、上述した水浄化ユニット２０と、低温排熱回収装置１８から排出され、水浄化ユニット２０に移送される前の凝縮水Ｗｃの水質を測定するための水質測定装置２２と、水質測定装置２２の測定結果に応じて、水浄化ユニット２０に対する凝縮水Ｗｃの移送先を制御する制御部２３と、を備えるものである。
【００５０】
また、凝縮水処理システム１には、図１〜３、５、１１に示されるような、管路１３と、バルブＶ２〜Ｖ６（開閉装置）が設けられている。管路１３は、その一端において管路１０の中和装置１９の下流側且つバルブＶ１の上流側に連結されており、その他端は複数に分岐しており、分岐した各々の管路は、管路１１の、貯水タンク２１ａを除いた水浄化設備２１の上流側にそれぞれ連結されている。バルブＶ２〜Ｖ５は、管路１３の分岐した各々の管路における、管路１１の各々の水浄化設備２１との連結部の手前に、それぞれ設けられている。バルブＶ６は、管路１３の分岐した管路のうちの一つが、管路１１の、水浄化ユニット２０の下流側に連結されており、この管路１３の水浄化ユニット２０の下流側との連結部の手前に設けられている。
【００５１】
水質測定装置２２は、管路１０の、低温排熱回収装置１８の下流側であり、水浄化ユニット２０の上流側に配置されており、配置された箇所の凝縮水Ｗｃの水質、すなわち、低温排熱回収装置１８から排出され、水浄化ユニット２０に移送される前の凝縮水Ｗｃの水質を測定する。ここにいう凝縮水Ｗｃの水質とは、少なくとも一つ以上の水質汚染の指標を水質の指標として評価されるものである。上記水質汚染の指標には、例えば濁度やｐＨ（濁水素イオンの濃度）、ＳＳ（浮遊物質量）、Ｄｏ（溶存酸素量）などが挙げられる。
【００５２】
水質測定装置２２は、上述した凝縮水Ｗｃの水質を測定することができ、その測定結果により制御部２３が凝縮水Ｗｃの移送先を制御することができるものであればよい。水質測定装置２２は、例えば、電気伝導度計、ｐＨ計、ＴＯＣ計、炭酸濃度計、アルデヒド類計測器などの検知器であって、測定結果を信号として制御部２３に伝達するセンサを一つ以上含むものであってもよいし、また、凝縮水Ｗｃの一部を採取して試料として、その試料に試薬などを投入して凝縮水Ｗｃの水質を測定することや、この測定の流れを自動化した装置を含むものであってもよい。
【００５３】
水質測定装置２２は制御部２３に接続され、水質測定装置２２の測定結果は制御部２３に送られる。制御部２３は、凝縮水処理システム１が備える各構成要素からの各種情報が入力される入力装置（入力インタフェース）、入力された各種情報や制御実施のために必要な各種プログラムや演算結果等を記憶可能な記憶装置（ＲＯＭ、ＲＡＭ）、これらの各種情報に基づいて演算処理を行う演算装置（ＣＰＵ）、及び、演算結果等に基づく各種情報を凝縮水処理システム１が備える各構成要素に出力する出力装置（出力インタフェース）を含むマイクロコンピュータから構成されているが、一般的な構成及び制御については適宜割愛することとする。制御部２３による凝縮水Ｗｃの移送先を制御する制御の一例を図２に示す。図２における、Ｓｑ１は、水質測定装置２２で測定された水質を示す測定値である。また、Ｑ１は、カチオン塔２１ｂ前に導入可能な水質か否かを判断するための基準値であり、測定値Ｓｑ１がこの値以上である場合には、凝縮水Ｗｃの浄化度が低いので、カチオン塔２１ｂ前に導入することができない。また、Ｑ２は脱炭酸塔２１ｃ前に、Ｑ３はアニオン塔２１ｄ前に、Ｑ４はポリッシャ塔２１ｅ前に、それぞれ導入可能な水質か否かを判断するための基準値である。測定値Ｓｑ１がこれらの値以上である場合には、凝縮水Ｗｃの浄化度が低いので、該当する水浄化設備２１前に導入することができない。また、Ｑ５は水浄化ユニット２０に導入不要な水質か否かを判断するための基準値である。これらの基準値を、その値が高い順に並べるとＱ１、Ｑ２、Ｑ３、Ｑ４、Ｑ５となる。
【００５４】
次に、図２に基づいて制御部２３の制御を説明する。まず、バルブＶ１〜Ｖ６の全てのバルブが閉じられ、凝縮水Ｗｃが貯められる。凝縮水Ｗｃが規定量に達した場合には、水質測定装置２２により凝縮水Ｗｃの水質を示す測定値Ｓｑ１が測定される。制御部２３は、水質測定装置２２の測定結果である測定値Ｓｑ１に応じて、水浄化ユニット２０に対する凝縮水Ｗｃの移送先を決定して制御を行う。具体的には、凝縮水Ｗｃは、測定値Ｓｑ１が基準値Ｑ１以上の場合には、水浄化ユニット２０では浄化することができないので、制御部２３により開いたバルブＶ１を通過して管路１４に移送され排水として処理される。凝縮水Ｗｃは、測定値Ｓｑ１が基準値Ｑ１未満且つ基準値Ｑ２以上の場合には、制御部２３により開いたバルブＶ２を通過してカチオン塔２１ｂ前に移送される。同様に、凝縮水Ｗｃは、測定値Ｓｑ１が基準値Ｑ２未満且つ基準値Ｑ３以上の場合には、制御部２３により開いたバルブＶ３を通過して脱炭酸塔２１ｃ前に、測定値Ｓｑ１が基準値Ｑ３未満且つ基準値Ｑ４以上の場合には、制御部２３により開いたバルブＶ４を通過してアニオン塔２１ｄ前に、測定値Ｓｑ１が基準値Ｑ４未満且つ基準値Ｑ５以上の場合には、制御部２３により開いたバルブＶ５を通過してポリッシャ塔２１ｅ前に、それぞれ移送される。そして、凝縮水Ｗｃは、水浄化ユニット２０の各々の水浄化設備２１により浄化された後、復水器４に上述した浄化水として供給され、管路８を通過してボイラ給水に用いられる。
【００５５】
上記の構成によれば、燃焼ガス発生装置２から排出された燃焼ガスＣｇは、低温排熱回収装置１８において熱エネルギが回収されて凝縮水Ｗｃが分離される。この凝縮水Ｗｃは、低温排熱回収装置１８から排出され、凝縮水Ｗｃを浄化するための水浄化ユニット２０に移送される前に、水質測定装置２２により水質が測定される。水質測定装置２２の測定結果に応じて、制御部２３により水浄化ユニット２０に対する凝縮水Ｗｃの移送先が制御される。このため、凝縮水Ｗｃは、その水質に応じて移送先において必要な浄化が行われるので、水浄化ユニット２０及びこれに含まれる水浄化設備２１は、過不足なく凝縮水Ｗｃを浄化することができる。すなわち、凝縮水Ｗｃの浄化が不十分であったり、凝縮水Ｗｃを水浄化設備２１により必要以上に浄化して水浄化設備２１を消耗させたりするのを抑制することができる。
【００５６】
したがって、上記の構成によれば、凝縮水Ｗｃを浄化できるとともに、水浄化設備２１の消耗を抑えることができる。
【００５７】
なお、上述した実施形態によれば、水浄化設備２１として、カチオン塔２１ｂ、脱炭酸塔２１ｃ、アニオン塔２１ｄ及びポリッシャ塔２１ｅを有する、いわゆるポリッシャ付二床三塔式の水浄化ユニット２０について説明したが、水浄化ユニット２０及び水浄化設備２１はこれに限定されるわけではない。例えば、水浄化ユニット２０は、水浄化設備２１として混床式純水装置や逆浸透膜処理装置などを含むようになっていてもよい。
【００５８】
また、上述した実施形態によれば、燃焼ガス発生装置２はボイラ２ａを例に説明していたが、燃焼ガス発生装置２はボイラ２ａに限定されるわけではなく、燃焼ガスＣｇが排出されるものであればよく、例えば、タービンやエンジンなどでもよい。
【００５９】
また、他の幾つかの実施形態では、図１に示されるように、少なくとも一つの水浄化設備２１は、第１水浄化設備と、第１水浄化設備の下流側に配置され、且つ、第１水浄化設備で浄化された凝縮水Ｗｃが流入するように構成された第２水浄化設備と、を含み、制御部２３は、水質測定装置２２の測定結果に応じて、凝縮水Ｗｃの移送先を、第１水浄化設備の上流、又は、第２水浄化設備の上流のいずれかに制御する。
【００６０】
本実施形態において、例えば、第１水浄化設備をカチオン塔２１ｂと、第２水浄化設備をアニオン塔２１ｄと仮定すると、凝縮水Ｗｃは、測定値Ｓｑ１が基準値Ｑ３未満の場合には、制御部２３により開いたバルブＶ４を通過してアニオン塔２１ｄ前に移送される。また、測定値Ｓｑ１が基準値Ｑ３以上の場合には、制御部２３により開いたバルブＶ２を通過してカチオン塔２１ｂ前に移送される。
【００６１】
上記の構成によれば、制御部２３は、水質測定装置２２の測定結果に応じて、凝縮水Ｗｃの移送先を、第１水浄化設備の上流、又は、第１水浄化設備の下流側である第２水浄化設備の上流のいずれかに決定して制御する。このため、凝縮水Ｗｃの水質が良好な場合には、凝縮水Ｗｃを第１水浄化設備において浄化させずに第１水浄化設備を迂回して、第２水浄化設備に直接移送することができるので、第１水浄化設備の消耗を抑えることができる。また、水質が良好な凝縮水Ｗｃは、第２水浄化設備における浄化だけで必要な浄化が行われる。また、凝縮水Ｗｃの水質が不良な場合には、凝縮水Ｗｃを第１水浄化設備及び第２水浄化設備の両方において浄化させるので、水質が不良な凝縮水Ｗｃを浄化することができる。したがって、上記の構成によれば、凝縮水Ｗｃを浄化できるとともに、水浄化設備２１の消耗を抑えることができる。
【００６２】
また、他の幾つかの実施形態では、制御部２３は、水質測定装置２２で測定された水質が所定の浄化度を上回る場合には、凝縮水Ｗｃの移送先を、水浄化ユニット２０の下流に制御する。ここで、水質測定装置２２で測定された水質が所定の浄化度を上回る場合とは、図２における、水質測定装置２２で測定された測定値Ｓｑ１が水処理不要水質の基準値Ｑ５より小さい場合をいい、この場合には、バルブＶ６が開き、凝縮水Ｗｃは水浄化ユニット２０の下流に移送される。
【００６３】
上記の構成によれば、凝縮水Ｗｃは、水質測定装置２２で測定された水質が所定の浄化度を上回る場合には、水浄化ユニット２０において浄化されずに水浄化ユニット２０を迂回して水浄化ユニット２０の下流に移送される。このため、水浄化ユニット２０に含まれる少なくとも一つの水浄化設備２１の消耗を抑えることができる。
【００６４】
また、他の幾つかの実施形態では、少なくとも一つの水浄化設備２１は、浄化する凝縮水Ｗｃの浄化度を制御可能に構成され、制御部２３は、水質測定装置２２の測定結果に応じて、凝縮水Ｗｃを浄化する少なくとも一つの水浄化設備２１の浄化度を制御する。
【００６５】
制御可能に構成された水浄化設備２１とは、例えば、カチオン塔２１ｂ、アニオン塔２１ｄ及びポリッシャ塔２１ｅにおける再生処理するための薬品の量や処理時間、脱炭酸塔２１ｃにおける空気の吹込み量と時期、オゾン発生装置２１ｆにおけるオゾン濃度、紫外線照射装置２１ｇにおける紫外線照射強度などの、浄化度の高低に関係する要素を調整可能である水浄化設備２１をいう。また、制御可能に構成された水浄化設備２１には、例えば、浄化性能の異なるカチオン塔２１ｂが複数配置され、凝縮水Ｗｃを適当な一のカチオン塔２１ｂに移送することができる水浄化設備２１も含まれる。
【００６６】
そして、制御部２３は、水質測定装置２２の測定結果に応じて、凝縮水Ｗｃを浄化する少なくとも一つの水浄化設備２１の浄化度を制御する。水浄化設備２１の浄化度を制御するとは、例えば、凝縮水Ｗｃは、図２において、測定値Ｓｑ１が基準値Ｑ１未満且つ基準値Ｑ２以上の場合には、カチオン塔２１ｂ前に移送されてカチオン塔２１ｂにおいて浄化されるが、この際に制御部２３によってカチオン塔２１ｂの浄化度が制御される。すなわち、制御部２３は、基準値Ｑ１に近い水質を有する凝縮水Ｗｃに対してはカチオン塔２１ｂの浄化度を高くする一方、基準値Ｑ２に近い水質を有する凝縮水Ｗｃに対しては、カチオン塔２１ｂの浄化度を低くする。
【００６７】
上記の構成によれば、少なくとも一つの水浄化設備２１は、浄化する凝縮水Ｗｃの浄化度を制御可能に構成され、制御部２３は、水質測定装置２２の測定結果に応じて、凝縮水Ｗｃを浄化する上述した浄化度を制御可能に構成された少なくとも一つの水浄化設備２１の浄化度を制御する。このため、凝縮水Ｗｃの水質が良好な場合には、浄化度を制御可能な水浄化設備２１における凝縮水Ｗｃの浄化度を低くすることができるので、水浄化設備２１の消耗を抑えることができる。また、凝縮水Ｗｃの水質が不良な場合には、水浄化設備２１における凝縮水Ｗｃの浄化度を高くすることができるので、水質が不良な凝縮水Ｗｃを浄化することができる。したがって、上記の構成によれば、凝縮水Ｗｃを浄化できるとともに、水浄化設備２１の消耗を抑えることができる。
【００６８】
また、他の幾つかの実施形態では、図３に示されるような、水浄化ユニット２０は、少なくとも一つの水浄化設備２１を含む第１水浄化ユニット２０ａと、少なくとも一つの水浄化設備２１を含み、第１水浄化ユニット２０ａの下流側に配置され、且つ、第１水浄化ユニット２０ａで浄化された凝縮水が流入可能に構成された第２水浄化ユニット２０ｂと、を含み、第１水浄化ユニット２０ａの少なくとも一つの水浄化設備２１は、有機物処理装置２４を含む。
【００６９】
また、凝縮水処理システム１には、図３に示されるような、管路１４が設けられている。管路１４は、その上流側の一端が、管路１３の、低温排熱回収装置１８の下流側であり、第２水浄化ユニット２０ｂの上流側に連結されていると共に、上流側から順にオゾン発生装置２１ｆ（有機物処理装置２４）、紫外線照射装置２１ｇ（有機物処理装置２４）を直列に連結している。そして、紫外線照射装置２１ｇの下流側の管路１４は、管路１３の上述した管路１４との連結部よりも下流側であり、第２水浄化ユニット２０ｂの上流側に連結されている。
【００７０】
凝縮水処理システム１には、図３、図４に示されるような、バルブＶ８〜Ｖ１０（開閉装置）が設けられている。バルブＶ８は、管路１４の、管路１３と連結された上流側の一端の下流側且つオゾン発生装置２１ｆの上流側に設けられている。バルブＶ９は、管路１３の、管路１４の上流側の一端との連結部の下流側、且つ、紫外線照射装置２１ｇの下流側の管路１４との連結部の上流側に設けられている。バルブＶ１０は、管路１４の、オゾン発生装置２１ｆの下流側且つ紫外線照射装置２１ｇの上流側に設けられている。
【００７１】
また、凝縮水処理システム１には、図３に示されるような、管路１５が設けられている。管路１５は、その上流側の一端がバルブＶ１０に連結されると共に、その下流側の一端が、管路１３の、紫外線照射装置２１ｇの下流側の管路１４との連結部よりも下流側であり、第２水浄化ユニット２０ｂの上流側に連結されている。
【００７２】
上記の構成によれば、水浄化ユニット２０は、第１水浄化ユニット２０ａと、第１水浄化ユニット２０ａの下流側に配置され、第１水浄化ユニット２０ａで浄化された凝縮水Ｗｃが流入可能な第２水浄化ユニット２０ｂを含み、第１水浄化ユニット２０ａの少なくとも一つの水浄化設備２１は、有機物処理装置２４を含んでいる。ここで、有機物処理装置２４は、凝縮水Ｗｃに含まれる有機物を除去することができる。このため、有機物処理装置２４を含む第１水浄化ユニット２０ａにより凝縮水Ｗｃを浄化することができる。また、有機物処理装置２４は、第２水浄化ユニット２０ｂより上流側の第１水浄化ユニット２０ａの水浄化設備であるので、これらの水浄化設備２１で浄化された凝縮水Ｗｃは、一定以上の水質を有しているため、第２水浄化ユニット２０ｂの水浄化設備の消耗を抑えることができる。
【００７３】
なお、上述した実施形態によれば、図３における第１水浄化ユニット２０ａはオゾン発生装置２１ｆ及び紫外線照射装置２１ｇを含むようになっていたが、第１水浄化ユニット２０ａは、オゾン発生装置２１ｆ及び紫外線照射装置２１ｇのいずれか一方のみを含むようになっていたり、オゾン発生装置２１ｆ及び紫外線照射装置２１ｇ以外の有機物処理装置２４を含むようになっていたりしてもよい。
【００７４】
また、有機物処理装置２４を含まない水浄化ユニット２０のみを備える凝縮水処理システム１においては、凝縮水Ｗｃ中に含まれる有機物の十分な処理ができないので、凝縮水Ｗｃ中に処理不能な量の有機物が含まれる場合には、凝縮水Ｗｃは排水として処理される。
【００７５】
また、他の幾つかの実施形態では、図３に示されるような、水浄化ユニット２０は、上述した第１水浄化ユニット２０ａと、上述した第２水浄化ユニット２０ｂと、を含み、制御部２３は、水質測定装置２２の測定結果に応じて、第１水浄化ユニット２０ａの上流側の凝縮水Ｗｃの移送先を、第１水浄化ユニット２０ａ、又は、第１水浄化ユニット２０ａの下流のいずれかに制御する。
【００７６】
本実施形態における水質測定装置２２は、少なくともＴＯＣを水質汚染の指標の一つとして凝縮水Ｗｃの水質を測定することができ、その測定結果により制御部２３が凝縮水Ｗｃの移送先を決定することができるものであればよい。
【００７７】
制御部２３による凝縮水Ｗｃの移送先を制御する制御の一例を図４に示す。図４における、Ｓｑ２は、少なくともＴＯＣを水質汚染の指標の一つとする水質測定装置２２で測定された水質を示す測定値である。また、Ｑ６は、紫外線照射装置２１ｇに導入不要な水質か否かを判断するための基準値であり、Ｑ７は、オゾン発生装置２１ｆに導入不要な水質か否かを判断するための基準値である。測定値Ｓｑ２がこれらの基準値より小さい場合には、凝縮水Ｗｃの浄化度が高いので、該当する第１水浄化ユニット２０ａの水浄化設備２１への導入は不要である。これらの基準値は、その値が高い順に並べるとＱ６、Ｑ７となる。
【００７８】
次に、図４に基づいて制御部２３の制御を説明する。まず、水質測定装置２２により凝縮水Ｗｃの水質を示す測定値Ｓｑ２が測定される。制御部２３は、水質測定装置２２の測定結果である測定値Ｓｑ２に応じて、第１水浄化ユニット２０ａに対する凝縮水Ｗｃの移送先を決定して制御を行う。具体的には、凝縮水Ｗｃは、測定値Ｓｑ２が基準値Ｑ６以上の場合には、制御部２３により開いたバルブＶ８を通過してオゾン発生装置２１ｆ前に移送される。そして、凝縮水Ｗｃは、オゾン発生装置２１ｆによる浄化後に、制御部２３により紫外線照射装置２１ｇが設けられた管路１４に通じるバルブＶ１０を通過して紫外線照射装置２１ｇ前に移送され、紫外線照射装置２１ｇにより浄化される。また、凝縮水Ｗｃは、測定値Ｓｑ２が基準値Ｑ６未満且つ基準値Ｑ７以上の場合には、制御部２３により開いたバルブＶ８を通過してオゾン発生装置２１ｆ前に移送される。そして、凝縮水Ｗｃは、オゾン発生装置２１ｆによる浄化後に、管路１５に通じるバルブＶ１０を通過して第１水浄化ユニット２０ａの下流に移送される。さらに、凝縮水Ｗｃは、測定値Ｓｑ２が基準値Ｑ７未満の場合には、制御部２３により開いたバルブＶ９を通過して第１水浄化ユニット２０ａの下流に移送される。
【００７９】
上記の構成によれば、水質測定装置２２により測定された凝縮水Ｗｃの水質に応じて、凝縮水Ｗｃは、第１水浄化ユニット２０ａ、又は、第１水浄化ユニット２０ａを迂回して第１水浄化ユニット２０ａの下流のいずれかに移送される。このため、凝縮水Ｗｃの水質が良好な場合には、凝縮水Ｗｃを第１水浄化ユニット２０ａの水浄化設備２１（有機物処理装置２４）において浄化させずに、第１水浄化ユニット２０ａの水浄化設備２１を迂回して、第１水浄化ユニット２０ａの下流に移送することができるので、第１水浄化ユニット２０ａの水浄化設備２１の消耗を抑えることができる。また、凝縮水Ｗｃの水質が不良な場合には、凝縮水Ｗｃを第１水浄化ユニット２０ａの水浄化設備２１において浄化させるので、水質が不良な凝縮水Ｗｃを浄化することができる。したがって、上記の構成によれば、凝縮水Ｗｃを浄化できるとともに、水浄化設備２１の消耗を抑えることができる。
【００８０】
また、他の幾つかの実施形態では、図３に示されるような、第２水浄化ユニット２０ｂの少なくとも一つの水浄化設備２１は、イオン交換装置と脱炭酸装置とを含む。ここで、イオン交換装置は、カチオン塔２１ｂと、アニオン塔２１ｄと、ポリッシャ塔２１ｅと、を含み、脱炭酸装置は、脱炭酸塔２１ｃを含むものである。
【００８１】
上記の構成によれば、第２水浄化ユニット２０ｂの少なくとも一つの水浄化設備２１は、イオン交換装置と脱炭酸装置を含んでいるため、これらの装置により凝縮水Ｗｃを浄化できる。
【００８２】
また、他の幾つかの実施形態では、図５に示されるような、水浄化ユニット２０は、少なくとも一つの水浄化設備２１を含む第１水浄化ユニット２０ｃと、少なくとも一つの水浄化設備２１を含み、第１水浄化ユニット２０ｃの下流側に配置され、且つ、第１水浄化ユニット２０ｃで浄化された凝縮水Ｗｃが流入可能に構成された第２水浄化ユニット２０ｄと、を含み、第２水浄化ユニット２０ｄの少なくとも一つの水浄化設備２１は、有機物処理装置２４を含むものである。
【００８３】
また、凝縮水処理システム１は、図５、６に示されるような、管路１６と、バルブＶ１１、Ｖ１２（開閉装置）が設けられている。管路１６は、その上流側の一端が、管路１１の、第１水浄化ユニット２０ｃの下流側であり、復水器４の上流側に連結されていると共に、上流側から順に酸化装置２１ｈ（有機物処理装置２４）、活性炭吸着装置２１ｉ（有機物処理装置２４）を直列に連結している。そして、活性炭吸着装置２１ｉの下流側の管路１６は、復水器４に連結されている。バルブＶ１１は、管路１６の、管路１１との連結部より下流側且つ酸化装置２１ｈの上流側に設けられている。バルブＶ１２は、管路１１の、管路１６との連結部の下流側且つ復水器４の上流側に設けられている。
【００８４】
上記の構成によれば、水浄化ユニット２０は、第１水浄化ユニット２０ｃと、第１水浄化ユニット２０ｃの下流側に配置され、第１水浄化ユニット２０ｃで浄化された凝縮水Ｗｃが流入する第２水浄化ユニット２０ｄを含み、第２水浄化ユニット２０ｄの少なくとも一つの水浄化設備２１は、有機物処理装置２４を含んでいる。ここで、有機物処理装置２４は、凝縮水Ｗｃに含まれる有機物を除去することができる。このため、有機物処理装置２４を含む第２水浄化ユニット２０ｄにより凝縮水Ｗｃを浄化することができる。また、有機物処理装置２４は、第１水浄化ユニット２０ｃより下流側の第２水浄化ユニット２０ｄの水浄化設備２１であるので、第２水浄化ユニット２０ｄで浄化される凝縮水Ｗｃは一定以上の水質を有しているため、有機物処理装置２４の消耗を抑えることができる。
【００８５】
なお、上述した実施形態によれば、図５における第２水浄化ユニット２０ｄは酸化装置２１ｈ及び活性炭吸着装置２１ｉを含むようになっていたが、第２水浄化ユニット２０ｄは、酸化装置２１ｈ及び活性炭吸着装置２１ｉのいずれか一方のみを含むようになっていたり、酸化装置２１ｈ及び活性炭吸着装置２１ｉ以外の有機物処理装置２４を含むようになっていたりしてもよい。
【００８６】
また、他の幾つかの実施形態では、図５及び図６に示されるように、凝縮水処理システム１は、第１水浄化ユニット２０ｃの下流側、且つ、第２水浄化ユニット２０ｄの上流側の位置に配置される下流側水質測定装置２５を備え、制御部２３は、下流側水質測定装置２５の測定結果に応じて、第１水浄化ユニット２０ｃの下流側の凝縮水Ｗｃの移送先を、第２水浄化ユニット２０ｄ、又は、第２水浄化ユニット２０ｄの下流に制御する。
【００８７】
下流側水質測定装置２５は、管路１１の途中に設けられている。より具体的には、下流側水質測定装置２５は、管路１１の、第１水浄化ユニット２０ｃの下流側であり、第２水浄化ユニット２０ｄの上流側に配置されており、配置された箇所の凝縮水Ｗｃの水質、すなわち、第１水浄化ユニット２０ｃの下流側且つ第２水浄化ユニット２０ｄに移送される前の凝縮水Ｗｃの水質を測定する。ここにいう凝縮水Ｗｃの水質とは、少なくとも一つ以上の水質汚染の指標を水質の指標として評価されるものであり、水質汚染の指標として少なくともＴＯＣを含むものである。ＴＯＣ以外の他の水質汚染の指標には、例えば濁度やｐＨ（濁水素イオンの濃度）、ＳＳ（浮遊物質量）、Ｄｏ（溶存酸素量）などが挙げられる。
【００８８】
下流側水質測定装置２５は、少なくともＴＯＣを水質汚染の指標の一つとして凝縮水Ｗｃの水質を測定することができ、その測定結果により制御部２３が凝縮水Ｗｃの移送先を決定することができるものであればよい。下流側水質測定装置２５は、水質測定装置２２と同様に、例えば、電気伝導度計、ｐＨ計、ＴＯＣ計、炭酸濃度計、アルデヒド類計測器などの検知器であって、測定結果を信号として制御部２３に伝達するセンサを一つ以上含むものであってもよいし、また、凝縮水Ｗｃの一部を採取して試料として、その試料に試薬などを投入して凝縮水Ｗｃの水質を測定することや、この測定の流れを自動化した装置を含むものであってもよい。
【００８９】
下流側水質測定装置２５は制御部２３に接続され、下流側水質測定装置２５の測定結果は制御部２３に送られる。制御部２３による凝縮水Ｗｃの移送先を制御する制御の一例を図６に示す。図６における、Ｓｑ３は、下流側水質測定装置２５で測定された水質を示す測定値である。また、Ｑ８は、酸化装置２１ｈ及び活性炭吸着装置２１ｉに導入不要な水質か否かを判断するための基準値である。測定値Ｓｑ３がこの基準値より小さい場合には、凝縮水Ｗｃの浄化度が高いので、第２水浄化ユニット２０ｄの水浄化設備２１への導入は不要である。
【００９０】
次に、図６に基づいて制御部２３の制御を説明する。まず、下流側水質測定装置２５により凝縮水Ｗｃの水質を示す測定値Ｓｑ３が測定される。制御部２３は、下流側水質測定装置２５の測定結果である測定値Ｓｑ３に応じて、第２水浄化ユニット２０ｄに対する凝縮水Ｗｃの移送先を決定して制御を行う。具体的には、凝縮水Ｗｃは、測定値Ｓｑ３が基準値Ｑ８以上の場合には、制御部２３により開いたバルブＶ１１を通過して酸化装置２１ｈ前に移送される。そして、凝縮水Ｗｃは、酸化装置２１ｈによる浄化後に、活性炭吸着装置２１ｉにより浄化される。また、凝縮水Ｗｃは、測定値Ｓｑ３が基準値Ｑ８未満の場合には、制御部２３により開いたバルブＶ１２を通過して第２水浄化ユニット２０ｄの下流である復水器４に移送される。
【００９１】
上記の構成によれば、第１水浄化ユニット２０ｃの下流側且つ第２水浄化ユニット２０ｄの上流側に配置された下流側水質測定装置２５により凝縮水Ｗｃの水質が測定される。そして、下流側水質測定装置２５により測定された凝縮水Ｗｃの水質に応じて、凝縮水Ｗｃは、第２水浄化ユニット２０ｄ、又は、第２水浄化ユニット２０ｄを迂回して第２水浄化ユニット２０ｄの下流に移送される。このため、凝縮水Ｗｃの水質が良好な場合には、凝縮水Ｗｃを第２水浄化ユニット２０ｄの水浄化設備２１において浄化させずに第２水浄化ユニット２０ｄを迂回して、第２水浄化ユニット２０ｄの下流に直接移送することができるので、第２水浄化ユニット２０ｄの水浄化設備２１の消耗を抑えることができる。また、凝縮水Ｗｃの水質が不良な場合には、凝縮水Ｗｃを第２水浄化ユニット２０ｄの水浄化設備２１において浄化させるので、水質が不良な凝縮水Ｗｃを浄化することができる。したがって、上記の構成によれば、凝縮水Ｗｃを浄化できるとともに、水浄化設備２１の消耗を抑えることができる。
【００９２】
また、他の幾つかの実施形態では、上述した各々の実施形態（図１〜図６参照）において、凝縮水処理システム１は、図７、８に示されるような、低温排熱回収装置１８により凝縮水Ｗｃが分離される前の燃焼ガスＣｇから炭化水素及び窒素化合物の少なくともいずれか一方を除去する燃焼ガス浄化装置２６を備える。
【００９３】
燃焼ガス浄化装置２６は、図７、８に示されるような、酸化装置２６ａと、脱硝装置２６ｂと、を含むものである。酸化装置２６ａ及び脱硝装置２６ｂは、図７、８に示されるような、管路９の、燃焼ガス発生装置２の下流側且つ低温排熱回収装置１８の上流側に設けられている。酸化装置２６ａは、酸化触媒を用いて燃焼ガスＣｇ中の炭化水素を水蒸気と二酸化炭素に、一酸化炭素を二酸化炭素にそれぞれ酸化させるものであり、燃焼ガスＣｇからＴＯＣの原因となる炭化水素を除去することができる。また、脱硝装置２６ｂは、その内部に設けられた触媒層において、触媒層の手前において注入されたアンモニアなどの還元剤Ｒａと、燃焼ガスＣｇ中の窒素化合物とを化学反応させて、水と窒素に分解させるものであり、燃焼ガスＣｇから排水規制物質の原料となる窒素化合物を除去することができる。
【００９４】
上記の構成によれば、凝縮水処理システム１は、低温排熱回収装置１８により凝縮水Ｗｃが分離される前の燃焼ガスＣｇから、炭化水素及び窒素化合物の少なくともいずれか一方を除去する燃焼ガス浄化装置２６を備えているので、燃焼ガスＣｇは炭化水素及び窒素化合物の少なくともいずれか一方を除去される。凝縮水Ｗｃの水質を低下させる炭化水素及び窒素化合物の少なくともいずれか一方を除去された燃焼ガスＣｇから分離された凝縮水Ｗｃは、水質が改善している。このため、凝縮水Ｗｃは、水浄化ユニット２０の上流側において水質が改善しているので、水浄化ユニット２０の水浄化設備２１の消耗を抑えることができる。したがって、凝縮水Ｗｃを浄化できるとともに、水浄化設備２１の消耗を抑えることができる。
【００９５】
なお、図７、８においては、酸化装置２６ａと脱硝装置２６ｂの両方が配置される構成が記載されているが、これに限定されるわけではなく、酸化装置２６ａと脱硝装置２６ｂのいずれか一方が配置されるようになっていてもよい。
【００９６】
また、他の幾つかの実施形態では、凝縮水処理システム１は、図７、８に示されるような、低温排熱回収装置１８の上流側に配置された、燃焼ガスＣｇから熱エネルギを回収する高温排熱回収装置１７を備え、燃焼ガス浄化装置２６は、高温排熱回収装置１７の上流側の位置に設けられた。
【００９７】
上記の構成によれば、凝縮水処理システム１は、低温排熱回収装置１８の上流側に配置され、燃焼ガスＣｇから熱エネルギを回収する高温排熱回収装置１７を備えており、この高温排熱回収装置１７の上流側に燃焼ガス浄化装置２６が設けられているので、高温排熱回収装置１７により熱エネルギが回収される前の燃焼ガスＣｇは高温であるため、燃焼ガス浄化装置２６は効率良く炭化水素及び窒素化合物の少なくともいずれか一方を除去できる。
【００９８】
また、他の幾つかの実施形態では、燃焼ガス浄化装置２６は、図７、８に示されるような、燃焼ガスＣｇから炭化水素を除去することが可能な酸化装置２６ａ、及び、燃焼ガスＣｇから窒素化合物を除去することが可能な脱硝装置２６ｂ、の少なくともいずれか一方を含む。
【００９９】
上記の構成によれば、酸化装置２６ａ及び脱硝装置２６ｂは、どちらも低温排熱回収装置１８により凝縮水Ｗｃが分離される前の燃焼ガスＣｇから、凝縮水Ｗｃの水質を低下させる炭化水素及び窒素化合物の少なくともいずれか一方を除去することができる。したがって、凝縮水Ｗｃを浄化できるとともに、水浄化設備２１の消耗を抑えることができる。
【０１００】
また、他の幾つかの実施形態では、図８に示されるような、凝縮水処理システム１は、燃焼ガス浄化装置２６で浄化される前の燃焼ガスＣｇに含まれる炭化水素の濃度を測定する炭化水素濃度測定装置２７と、燃焼ガス浄化装置２６で浄化される前の燃焼ガスＣｇに含まれる窒素化合物の濃度を測定する窒素化合物濃度測定装置２８と、を備え、燃焼ガス浄化装置２６は、酸化装置２６ａと脱硝装置２６ｂを含み、制御部２３は、炭化水素濃度測定装置２７の測定結果に応じて、燃焼ガスＣｇを酸化装置２６ａに流入させるか、酸化装置２６ａを迂回させるかを制御し、且つ、窒素化合物濃度測定装置２８の測定結果に応じて、燃焼ガスＣｇを脱硝装置２６ｂに流入させるか、脱硝装置２６ｂを迂回させるかを制御する。
【０１０１】
また、凝縮水処理システム１には、図８に示されるような、管路３１及び管路３２が設けられている。管路３１は、その上流側の一端が、管路９の、燃焼ガス発生装置２の下流側であり、酸化装置２６ａの上流側に連結されていると共に、その下流側の一端が、管路９の、酸化装置２６ａの下流側であり、脱硝装置２６ｂの上流側に連結されている。管路３２は、その上流側の一端が、管路３１に連結されており、その下流側の一端が、管路９の、脱硝装置２６ｂの下流側であり、高温排熱回収装置１７の上流側に連結されている。
【０１０２】
また、凝縮水処理システム１には、図８、９に示されるような、バルブＶ１３〜Ｖ１６（開閉装置）が設けられている。バルブＶ１３は、管路９の、管路３１の上流側の一端に連結された連結部より下流側且つ酸化装置２６ａの上流側に設けられている。バルブＶ１４は、管路３１の、管路３２に連結された連結部より上流側に設けられている。バルブＶ１５は、管路９の、管路３１の下流側の一端に連結された連結部より下流側且つ脱硝装置２６ｂの上流側に設けられている。バルブＶ１６は、管路３２の途中に設けられている。
【０１０３】
炭化水素濃度測定装置２７及び窒素化合物濃度測定装置２８は、管路９の、燃焼ガス発生装置２の下流側であり、管路３１の上流側の一端に連結された連結部より上流側に配置されている。炭化水素濃度測定装置２７は、配置された箇所における燃焼ガスＣｇに含まれる炭化水素の濃度を測定するものであり、窒素化合物濃度測定装置２８は、配置された箇所における燃焼ガスＣｇに含まれる窒素化合物の濃度を測定するものである。
【０１０４】
炭化水素濃度測定装置２７及び窒素化合物濃度測定装置２８は制御部２３に接続され、炭化水素濃度測定装置２７及び窒素化合物濃度測定装置２８の測定結果は制御部２３に送られる。制御部２３による燃焼ガスＣｇの移送先を制御する制御の一例を図９に示す。図９における、Ｓｑ４は、炭化水素濃度測定装置２７で測定された炭化水素の濃度を示す測定値であり、Ｃｈｃは、炭化水素の濃度が酸化装置２６ａに導入不要な濃度か否かを判断するための基準値である。また、Ｓｑ５は、窒素化合物濃度測定装置２８で測定された窒素化合物の濃度を示す測定値であり、Ｃｎは、窒素化合物の濃度が脱硝装置２６ｂに導入不要な濃度か否かを判断するための基準値である。
【０１０５】
次に、図９に基づいて制御部２３の制御を説明する。まず、炭化水素濃度測定装置２７により燃焼ガスＣｇに含まれる炭化水素の濃度を示す測定値Ｓｑ４が測定される。また、窒素化合物濃度測定装置２８により燃焼ガスＣｇに含まれる窒素化合物の濃度を示す測定値Ｓｑ５が測定される。制御部２３は、炭化水素濃度測定装置２７の測定結果である測定値Ｓｑ４に応じて、燃焼ガスＣｇを酸化装置２６ａに流入させるか、酸化装置２６ａを迂回させるかを決定して制御を行う。具体的には、燃焼ガスＣｇは、測定値Ｓｑ４が基準値Ｃｈｃ以上の場合には、制御部２３により開いたバルブＶ１３を通過して酸化装置２６ａ前に移送され、酸化装置２６ａにより炭化水素が除去される。また、燃焼ガスＣｇは、測定値Ｓｑ４が基準値Ｃｈｃ未満の場合には、制御部２３により開いたバルブＶ１４を通過して酸化装置２６ａの下流に移送される。
【０１０６】
また、制御部２３は、窒素化合物濃度測定装置２８の測定結果である測定値Ｓｑ５に応じて、燃焼ガスＣｇを脱硝装置２６ｂに流入させるか、脱硝装置２６ｂを迂回させるかを決定して制御を行う。具体的には、燃焼ガスＣｇは、測定値Ｓｑ５が基準値Ｃｎ以上の場合には、制御部２３により開いたバルブＶ１５を通過して脱硝装置２６ｂ前に移送され、還元剤Ｒａが加えられた後、脱硝装置２６ｂにより窒素化合物が除去される。また、燃焼ガスＣｇは、測定値Ｓｑ５が基準値Ｃｎ満の場合には、制御部２３により開いたバルブＶ１６を通過して脱硝装置２６ｂの下流に移送される。
【０１０７】
上記の構成によれば、凝縮水処理システム１は、燃焼ガス浄化装置２６で浄化される前の燃焼ガスＣｇに含まれる炭化水素の濃度を測定する炭化水素濃度測定装置２７と、燃焼ガス浄化装置２６で浄化される前の燃焼ガスＣｇに含まれる窒素化合物の濃度を測定する窒素化合物濃度測定装置２８を備えており、燃焼ガス浄化装置２６は、酸化装置２６ａと脱硝装置２６ｂを含んでいる。また、制御部２３は、炭化水素濃度測定装置２７の測定結果に応じて、燃焼ガスＣｇを酸化装置２６ａに流入させるか迂回させるかを制御する。さらに、制御部２３は、窒素化合物濃度測定装置２８の測定結果に応じて、燃焼ガスＣｇを脱硝装置２６ｂに流入させるか迂回させるかを制御する。このため、燃焼ガスＣｇ中の炭化水素や窒素化合物の濃度が低い場合には、燃焼ガスＣｇが酸化装置２６ａや脱硝装置２６ｂを迂回することができるので、燃焼ガス浄化装置２６の消耗を抑えることができる。また、燃焼ガスＣｇ中の炭化水素や窒素化合物の濃度が高い場合には、酸化装置２６ａや脱硝装置２６ｂに燃焼ガスＣｇを流入させるので、燃焼ガスＣｇを浄化することができる。したがって、凝縮水Ｗｃを浄化できるとともに、水浄化設備２１の消耗を抑えることができる。
【０１０８】
なお、上述した実施形態においては、凝縮水処理システム１は、炭化水素濃度測定装置２７及び窒素化合物濃度測定装置２８の両方を備えており、制御部２３は、炭化水素濃度測定装置２７の測定結果に応じた制御と、窒素化合物濃度測定装置２８の測定結果に応じた制御の両方を行うようになっていたが、凝縮水処理システム１は、炭化水素濃度測定装置２７及び窒素化合物濃度測定装置２８のいずれか一方を備えており、制御部２３は、凝縮水処理システム１が備えた一方の測定装置の測定結果に応じた制御のみを行うようになっていてもよい。
【０１０９】
また、他の幾つかの実施形態では、上述した各々の実施形態（図１〜図６参照）において、凝縮水処理システム１は、図１０に示されるような、低温排熱回収装置１８の上流側に配置された、燃焼ガスＣｇから熱エネルギを回収する高温排熱回収装置１７を備え、高温排熱回収装置１７は、熱交換器である第１熱交換器１７ａを含み、低温排熱回収装置１８は、熱交換器である第２熱交換器１８ａを含み、第１熱交換器１７ａ及び第２熱交換器１８ａの少なくともいずれか一方は、炭化水素及び窒素化合物の少なくともいずれか一方を除去する触媒が伝熱面１７ｂ、１８ｂに塗布されている。
【０１１０】
第１熱交換器１７ａ及び第２熱交換器１８ａは、図１０に示されるような、その内部に複数回折り曲げられた伝熱管が配置されており、燃焼ガスＣｇはその内部を通る冷却水に対して熱交換を行う。第１熱交換器１７ａ及び第２熱交換器１８ａの少なくともいずれか一方は、炭化水素を除去する酸化触媒Ｏｃ及び窒素化合物を除去する脱硝触媒Ｎｃの少なくとも一方が、ゼオライトなどの金属担持触媒を介して、伝熱面１７ｂ、１８ｂに塗布されている。このため、第１熱交換器１７ａ及び第２熱交換器１８ａの伝熱面１７ｂ、１８ｂに設けられた酸化触媒Ｏｃにより燃焼ガスＣｇ中の炭化水素を除去することができ、また、伝熱面１７ｂ、１８ｂに設けられた脱硝触媒Ｎｃにより燃焼ガスＣｇ中の窒素化合物を除去することができる。
【０１１１】
上記の構成によれば、高温排熱回収装置１７は第１熱交換器１７ａを、低温排熱回収装置１８は第２熱交換器１８ａを含んでおり、第１熱交換器１７ａ及び第２熱交換器１８ａの少なくともいずれか一方は、炭化水素及び窒素化合物の少なくともいずれか一方を除去する触媒が伝熱面１７ｂ、１８ｂに塗布されているので、低温排熱回収装置１８により凝縮水Ｗｃが分離される前の燃焼ガスＣｇから、炭化水素及び窒素化合物の少なくともいずれか一方を除去することができる。したがって、凝縮水Ｗｃを浄化できるとともに、水浄化設備２１の消耗を抑えることができる。また、上述した実施形態のような燃焼ガス浄化装置２６を設けなくても炭化水素及び窒素化合物の少なくともいずれか一方を除去することができるので、凝縮水処理システム１の大型化を防止することができる。
【０１１２】
なお、上述した実施形態によれば、第１熱交換器１７ａ及び第２熱交換器１８ａの伝熱面１７ｂ、１８ｂに酸化触媒Ｏｃや脱硝触媒Ｎｃが塗布されていたが、図１０に示されるような、燃焼ガスＣｇが通る管路９に酸化触媒Ｏｃや脱硝触媒Ｎｃが塗布されていてもよい。また、酸化触媒Ｏｃや脱硝触媒Ｎｃによる反応を促進させるために、第１熱交換器１７ａ及び第２熱交換器１８ａの伝熱面１７ｂ、１８ｂ又は燃焼ガスＣｇが通る管路９に対して、紫外線を照射するようになっていてもよい。
【０１１３】
また、他の幾つかの実施形態では、上述した各々の実施形態（図１〜図８参照）において、凝縮水処理システム１は、図１に示されるような、燃焼ガス発生装置２は、ボイラ２ａを含み、凝縮水Ｗｃは、水浄化ユニット２０の下流側においてボイラ２ａに供給される。
【０１１４】
上記の構成によれば、燃焼ガス発生装置２は、ボイラ２ａを含み、凝縮水Ｗｃは、水浄化ユニット２０の下流側においてボイラ２ａに供給されるので、凝縮水Ｗｃを排水することにより生じるコストを削減することができる。
【０１１５】
また、他の幾つかの実施形態では、上述した各々の実施形態（図１〜図８参照）において、凝縮水処理システム１は、図１１に示されるような、凝縮水Ｗｃを浄化して飲料水Ｗｄを生成する飲料水生成ユニット２９を備える。
【０１１６】
飲料水生成ユニット２９は、少なくとも一つの飲料水生成設備３０を含むものである。飲料水生成設備３０は、凝縮水Ｗｃに対して塩素などの消毒剤を添加して消毒を行った後に、例えば、カルシウムやマグネシウムなどのミネラル成分を添加して調味するものである。
【０１１７】
凝縮水処理システム１は、図１１に示されるような、管路１２の下流側にバルブＶ１７が設けられ、このバルブＶ１７により環境水Ｗｅ、再生水Ｗｒとして用いられる凝縮水Ｗｃが外部に供給される。また、管路１２のバルブＶ１７より下流に飲料水生成ユニット２９が連結されている。この飲料水生成ユニット２９は、少なくとも一つの水浄化設備２１と、少なくとも一つの飲料水生成設備３０と、を含み、凝縮水Ｗｃを浄化して飲料水Ｗｄを生成して、この飲料水Ｗｄが外部に供給される。
【０１１８】
また、凝縮水処理システム１は、図１１に示されるような、管路１１の、アニオン塔２１ｄの下流側且つポリッシャ塔２１ｅの上流側にバルブＶ１８が設けられており、バルブＶ１８を介して管路１１は凝縮水Ｗｃを供給する管路である管路３３に連結されている。そして、管路３３の下流側にバルブＶ１９が設けられ、このバルブＶ１９により環境水Ｗｅ、再生水Ｗｒとして用いられる凝縮水Ｗｃが外部に供給される。また、管路３３のバルブＶ１９より下流に飲料水生成ユニット２９が連結されている。この飲料水生成ユニット２９は、少なくとも一つの飲料水生成設備３０を含み、凝縮水Ｗｃを浄化して飲料水Ｗｄを生成して、この飲料水Ｗｄが外部に供給される。
【０１１９】
上記の構成によれば、凝縮水処理システム１は、凝縮水Ｗｃを浄化して飲料水Ｗｄを生成する飲料水生成ユニット２９を備えるので、凝縮水Ｗｃは飲料水生成ユニット２９により浄化された後は、飲料水Ｗｄとして利用できる。
【０１２０】
なお、上述した実施形態によれば、管路１２及び管路３３の下流に飲料水生成ユニット２９が連結されていたが、飲料水生成ユニット２９は他の管路に連結されるようになっていてもよい。
【０１２１】
本発明は上述した実施形態に限定されることはなく、上述した実施形態に変形を加えた形態や、これらの形態を適宜組み合わせた形態も含む。
【符号の説明】
【０１２２】
１      凝縮水処理システム
２      燃焼ガス発生装置
２ａ    ボイラ
３      蒸気タービン
４      復水器
５      低圧給水加熱器
６      脱気器
７      ボイラ給水加熱器
１７    高温排熱回収装置
１７ａ  第１熱交換器
１７ｂ  伝熱面
１８    低温排熱回収装置
１８ａ  第２熱交換器
１８ｂ  伝熱面
１９    中和装置
２０    水浄化ユニット
２０ａ，２０ｃ  第１水浄化ユニット
２０ｂ，２０ｄ  第２水浄化ユニット
２１    水浄化設備
２１ａ  給水タンク
２１ｂ  カチオン塔
２１ｃ  脱炭酸塔
２１ｄ  アニオン塔
２１ｅ  ポリッシャ塔
２１ｆ  オゾン発生装置
２１ｇ  紫外線照射装置
２１ｈ  酸化装置
２１ｉ  活性炭吸着装置
２２    水質測定装置
２３    制御部
２４    有機物処理装置
２５    下流側水質測定装置
２６    燃焼ガス浄化装置
２６ａ  酸化装置
２６ｂ  脱硝装置
２７    炭化水素濃度測定装置
２８    窒素化合物濃度測定装置
２９    飲料水生成ユニット
３０    飲料水生成設備
Ａ      空気
Ｃｈｃ，Ｃｎ  基準値
Ｃｇ    燃焼ガス
Ｆ      燃料
Ｎｃ    脱硝触媒
Ｏｃ    酸化触媒
Ｐ      ポンプ
Ｒａ    還元剤
Ｓ      蒸気
Ｓｑ１，Ｓｑ２，Ｓｑ３，Ｓｑ４，Ｓｑ５  測定値
Ｑ１，Ｑ２，Ｑ３，Ｑ４，Ｑ５，Ｑ６，Ｑ７，Ｑ８  基準値
Ｗｃ    凝縮水
Ｗｄ    飲料水
Ｗｅ    環境水
Ｗｉ    工業用水
Ｗｒ    再生水
【図１】
2018161601.tif 000003
【図２】
2018161601.tif 000004
【図３】
2018161601.tif 000005
【図４】
2018161601.tif 000006
【図５】
2018161601.tif 000007
【図６】
2018161601.tif 000008
【図７】
2018161601.tif 000009
【図８】
2018161601.tif 000010
【図９】
2018161601.tif 000011
【図１０】
2018161601.tif 000012
【図１１】
2018161601.tif 000013